(57)【要約】【課題】車室内の輻射温度による影響を考慮しないか、又は輻射温度を推定して制御を行う車両用空調装置では、乗員の着衣量に応じた適切な温調を行えない。【解決手段】車室内の気温を検出する室温センサ２６と、車室内の輻射温度を検出する輻射温度センサ２７と、内外気を導入して温調し、車室内に供給する空調ユニット２と、車室内の気温と輻射温度を二軸とするｘｙ平面上において、室温センサ２６及び輻射温度センサ２７の検出値に基づく値を座標とする点が、あらかじめ設定された制御目標線Ｃ．Ｌに近づくように空調ユニット２を制御する制御装置２４と、を備えたことを特徴とする。【選択図】      図４
2005199923.tif 000002
【特許請求の範囲】
【請求項１】
車室内の気温を検出する室温センサ（２６）と、
車室内の輻射温度を検出する輻射温度センサ（２７）と、
内外気を導入して温調し、車室内に供給する空調ユニット（２）と、
車室内の気温と輻射温度を二軸とするｘｙ平面上において、室温センサ（２６）及び輻射温度センサ（２７）の検出値に基づく値を座標とする点が、あらかじめ設定された制御目標線（Ｃ．Ｌ）に近づくように空調ユニット（２）を制御する制御装置（２４）と、
を備えたことを特徴とする車両用空調装置。
【請求項２】
輻射温度センサ（２７）は車室内の所定の部品の表面温度を検出するものであり、制御装置（２４）は、外気温、車室内の気温及び輻射温度に基づいて平均輻射温度を推定することを特徴とする請求項１記載の車両用空調装置。
【請求項３】
ｘｙ平面上に複数の空調風吹き出しモードの適用範囲を設定し、室温センサ（２６）及び輻射温度センサ（２７）の検出値に基づく値を座標とする点が一つの適用範囲の境界線を越えたときに制御装置（２４）が空調風吹き出しモードの変更を行うことを特徴とする請求項１記載の車両用空調装置。
【請求項４】
制御目標線（Ｃ．Ｌ）に沿って快適温度範囲を設定し、この快適温度範囲を車両毎に固有の形状に形成したことを特徴とする請求項１記載の車両用空調装置。
【請求項５】
車両の熱伝達係数に応じて制御目標線を設定したことを特徴とする請求項１記載の車両用空調装置。
【請求項６】
車両の熱伝達係数に応じて快適温度範囲を設定したことを特徴とする請求項４記載の車両用空調装置。
【請求項７】
輻射温度センサ（２７）は、被測定物に接触して温度を検出する接触式のものであることを特徴とする請求項１記載の車両用空調装置。
【請求項８】
輻射温度センサ（２７）は、被測定物に接触しないで温度を検出する非接触式のものであることを特徴とする請求項１記載の車両用空調装置。
【発明の詳細な説明】
【技術分野】
【０００１】
本発明は、車室内の気温を自動的に調節する車両用空調装置に関する。
【背景技術】
【０００２】
この種の車両用空調装置では、マイクロコンコンピュータから成る制御装置が、外気温センサの検出値に基づいて室内気温（以下、室温と略す）の目標値を設定し、室温センサの検出値に基づいて空調ユニットを制御して車室内を目標室温に近づけるようにしている。
【０００３】
通常、目標室温は、各種の補正が行われない場合には、季節に関係なく２５℃前後に設定されるが、車室内の輻射環境（平均壁面温度）が室温と同じく２５℃前後ならば、冬にはかえって暑く感じられることがある。
【０００４】
すなわち、ASHREで提唱している衣服の絶縁熱量であるclo値で屋内の服装量を表したとき、夏は０．４〜０．６clo、冬は０．９〜１．２clo前後が快適とされている。ここで、１．０cloは、椅子に腰掛けている白人標準男性被服者が平均皮膚温３３℃の快適な状態を維持できるのに必要な被服の熱絶縁量である。
【０００５】
通常、外気温が２０℃前後になると、外出時には外気温に合わせて調節用の服を重ね着する。また、無風で車室内温度が２５℃に固定されている場合、屋内環境での夏０．４〜冬１．２cloの服装で快適でいられる輻射環境は、夏２６℃〜冬１５℃前後である。したがって、冬服で２５℃の輻射温度なら暑く感じられることになる。つまり、車室内環境の快適性は室温だけでなく輻射温度の影響が大きく、室内のパネル、天井等の温度の変化がフィーリングに影響を与えるのである。
【０００６】
また、現行のオートエアコンでは、室内温度を中心とした制御の他、空調制御と空調風吹き出しモードの変更による空調制御を行うことで、きめ細やかな制御をおこなっている。
【０００７】
この空調風吹き出しモード制御は、暖房では足元、冷房ではベント吹出口を中心とした吹き出しで、その他に上下差温をつけたモードと窓晴らしを中心としたデフロストモード等がある。これらのモードは過去の冷暖房時に必要とされた経験から求められた条件で空調風吹き出しモードの制御を行っている。
【０００８】
例えば冬場の暖房が必要な条件下では、乗り込むときは外出用の調節用の上着やコートを着ているのに対して下半身の防寒は不十分のため、足元が寒い、暖かい空気は上に昇る等の理由から足元吹き出しになっている。
【０００９】
逆に夏場では、体が温まっているため早く涼感を得られるように上半身の冷却が望まれる、冷たい空気は下がりやすい等の理由からベント吹き出しとなっている。
【００１０】
中間温度帯にあっては、上半身と下半身で望まれる吹き出し温度が異なるため、様々なモードがあり、上下差温がつけられるように設定されている。
【００１１】
これは単なる冷暖房からオート制御によるオートエアコン化する時点で実際の温感をベースに快適感を増すために空調風吹き出しモードを増やしてきた結果である。
【００１２】
乗員の快適感を得るため温感をベースに制御することが望まれるが、従来出願されている温感ベースによる制御は、快適度を表す温熱指数を強引に空調制御に適用しているものが多く、温感だけのベースで制御しようとしているため、実際の空調とかけ離れた制御となって難しくなったり、特殊なセンサを必要とするものになっていた。
【００１３】
また、経験値に基づくチューニング学習機能を使ったチューニングを行うことで快適性を増す試みもあるが、従来のセンサ数、吹き出し方法、空調装置構造が変わらない限り、チューニングの限界がある。
【００１４】
このような点に鑑みて、特開平８−２５９４１号公報では、外気温と室温から車室内輻射温度を推定し、外気温に基づいて着衣量を推定し、さらにブロワ電圧に基づいて室内に吹き出す気流速を推定し、これらの推定値から目標室温を算出して設定室温を補正するようにした車両用空調装置が提案されている。
【００１５】
しかしながら、この従来技術の場合、車室内の輻射温度を実際に測定しておらず、輻射温度が安定して快適性が得られるときの輻射温度が推定値として利用され、その時の室温が目標温度となるため、目標室温の補正は一般的なオートエアコンで実施されている外気温による補正と大差ないものとなってしまい、適切な温調を行えないという問題がある。
【００１６】
また、この従来技術の場合、ウォームアップやクールダウンのような空調過渡期における対応は一般的なオートエアコンと同様であり、室内輻射温度の推定による効果が得られないという問題がある。
【特許文献１】特開平８−２５９４１号公報
【発明の開示】
【発明が解決しようとする課題】
【００１７】
解決しようとする問題点は、車室内の輻射温度による影響を考慮しないか、又は輻射温度を推定して制御を行う車両用空調装置では、乗員の着衣量に応じた適切な温調を行えない点である。
【課題を解決するための手段】
【００１８】
上記課題を解決するために、本発明の車両用空調装置は、車室内の気温を検出する室温センサ２６と、車室内の輻射温度を検出する輻射温度センサ２７と、内外気を導入して温調し、車室内に供給する空調ユニット２と、車室内の気温と輻射温度を二軸とするｘｙ平面上において、室温センサ２６及び輻射温度センサ２７の検出値に基づく値を座標とする点が、あらかじめ設定された制御目標線に近づくように空調ユニット２を制御する制御装置２４と、を備えたことを特徴としている。
【発明の効果】
【００１９】
本発明では、室温及び輻射温度がそれぞれ制御目標線に近づくように制御を行うので、乗員の着衣量や体感に応じた快適な室内温度環境を提供することができる。
【００２０】
また、本発明では、外気温センサを用いることなく空調制御を行うことができるため、製造コストが低減すると共に、停車時等において外気温センサの検出値に補正を行う必要がなくなるので、制御が簡素化する。
【００２１】
また、本発明では、輻射温度センサによって車室内の輻射温度を測定しているので、ウォームアップやクールダウンのような空調過渡期において、車両の内装材からの輻射量を考慮した適切な温度制御ができるため、乗員の温感に対して素早く温度調節を行うことができ、過渡期において所望の空調性能に到達する時間を短縮することができる。また、輻射温度に合わせた室温となるように自動的に制御されるため、各種の補正制御が簡素化される。
【００２２】
また、本発明では、輻射温度センサで輻射温度を測定することにより、乗員の乗降が頻繁な場合に、車両の温まり具合、冷え具合を把握することができるため、最適な空調制御量を求めることができる。
【００２３】
さらに、日射の影響は輻射温度に反映されるため、輻射温度を制御することで日射センサを省くことも可能となる。
【発明を実施するための最良の形態】
【００２４】
以下、本発明の一実施形態を図面に基づいて説明する。図１は本発明の一実施形態である車両用空調装置の空調ユニットの概略構成図、図２は実施形態の冷凍サイクルの概略構成図、図３は実施形態の制御システムの概略構成図である。
【００２５】
図１に示す車両用空調装置は、内部に空気通路１が形成された空調ユニット２を備えており、この空調ユニット２の上流側には、車室内空気を取り入れるための内気導入口３と、車室外空気を取り入れるための外気導入口４とが設けられている。
【００２６】
空調ユニット２の上流側の内部には、内気導入口３及び外気導入口４を選択的に開閉する内外気切換装置としてのインテークドア５と、内気導入口３及び外気導入口４を介して内外気を導入すると共に下流側に向けて送風する送風装置としてのブロワ６とが設けられている。
【００２７】
ブロワ６の下流側には、空気通路１を通る空気から吸熱して冷却する熱交換器７が設けられ、この熱交換器７の下流側には、空気通路１を通る空気を暖めるヒータコア８と、冷却された空気の一部をヒータコア８に導くと共に残りの空気をヒータコア８をバイパスさせる温調装置としてのミックスドア９とが設けられている。
【００２８】
ミックスドア９の下流にはエアミックスチャンバ１０が設けられ、このエアミックスチャンバ１０に連通するように、空調風吹出口としてのデフロスタ吹出口１１、ベント吹出口１２、及びフット吹出口１３が設けられている。吹出口１１、１２、１３は、それぞれ配風装置としてのデフロスタドア１４、ベントドア１５、フットドア１６によって開閉されるようになっている。
【００２９】
このような車両用空調装置にあっては、インテークドア５により内気導入口３又は外気導入口４が開口され、ブロワ６が駆動されると内気又は外気が取り込まれる。取り込まれた空気は熱交換器７で冷却された後、ミックスドア９によりヒータコア８を通る流路とヒータコア８を迂回する流路とに適宜の比率で分配される。
【００３０】
そして、ヒータコア８で温められた空気とヒータコア８を迂回した空気とがエアミックスチャンバ１０で混合され、空調風として吹出口１１〜１３から車室内に向けて吹き出す。
【００３１】
熱交換器７は図２に示す冷凍サイクルの一部を構成しており、このサイクルを循環する冷媒を蒸発させることにより空気を冷却する。図２において、１９は圧縮機であり、エンジン等からの駆動力により駆動されて冷媒を圧縮する。圧縮機１９で圧縮された冷媒は車室外に配置された熱交換器２０で凝縮し、膨張弁２１で膨張した後、熱交換器７で蒸発して圧縮機１９に戻る。
【００３２】
図３に示すように、本実施形態の制御システムは、ＣＰＵ、ＲＯＭ、ＲＡＭを含むマイクロコンピュータにより構成された制御装置としての制御アンプ２４を備えている。制御アンプ２４には、外気温を検出する外気温センサ２５、車室内の気温を検出する室温センサ２６、車室内の内装材から発する輻射温度を検出する輻射温度センサ２７が接続されている。
【００３３】
輻射温度センサ２７は、車室内内装材表面の平均輻射温度と相関が取れる部品の温度を検出するもので、そのような部品としては、例えば、運転席や助手席シートの背側の表面、リア座席バックシート中央部等、外気からの熱伝導が無く、且つ空調風が直接当たらない所であり、さらに日射が直接当たらない所であるのが好ましい。
【００３４】
なお、輻射温度センサ２７としては、被測定物に接触して温度を検出する接触式のもの（例えば、サーミスタ、熱電対）や、被測定物に接触せずに温度を検出する非接触式のもの（例えば、焦熱センサ、サーモパイル）等を適宜使用することができる。これらのセンサを用いることにより、製造コストが安価となり、省スペース化を図ることができるという利点がある。
【００３５】
輻射温度はＭＲＴ＝Σ（表面温度×各部の面積）／各部の面積（℃）：周壁平均温度でも表現される。なお、ＭＲＴ（Mean Radiant Temperature)は、車両内装材表面で人体に投射面積で平均化した温度である。
【００３６】
測定方法は一般的にはグローブ温度計を用い、ＭＲＴ＝グローブ温度＋２．４×√Ｖ×（グローブ温度−気温）で求めるが、風速が推定できれば定義に従って輻射面の平均温度を使用することが可能である。車室内ではファン速度でほぼ風速が決まるので輻射面からの測定も可能である。
【００３７】
本発明では、このような測定を行わず、輻射温度センサ２７の検出値から制御アンプ２４が車室内内装材表面の平均輻射温度を推定するようにしている。すなわち、対象車両の空調安定時を基準とした平均輻射温度を、車室温と外気温の関数で、k1×所定部品表面温度（空調安定時）と仮定し、車室温と外気温が決まると車両の熱伝導率から車室内内装材表面温度が決まることを利用する。
【００３８】
k1は比例定数で、輻射温度センサ２７が実際に測定した部品表面温度と空調安定時の部品表面温度との差から平均輻射温度を推定する。次式を基に実際の平均輻射温度を推定する。
【００３９】
実際平均輻射温度−平均輻射温度（安定時）＝k1×（実測部品表面温度−安定時部品表面温度）。なお、安定時は、車室温と外気温で車両温度が安定した時点から求める。
【００４０】
制御アンプ２４は、例えば図４の制御マップに示すように、車室内の気温と輻射温度を二軸とするｘｙ平面上において、室温センサ２６及び輻射温度センサ２７の検出値に基づく値を座標とする点が、あらかじめ設定された制御目標線Ｃ．Ｌに近づくように空調ユニット２のインテークドア５、ブロワ６、デフロスタドア１４、ベントドア１５、フットドア１６等を制御する。
【００４１】
すなわち、車室内熱環境である気温と輻射温度を二軸にすると、快適温度範囲は符号１〜３に示す限られた領域となる。そして、その中央値（制御目標線）は数式で表現することができる。
【００４２】
本実施形態では、室温センサ２６の検出値、及び輻射温度センサ２７の検出値に基づいて算出された平均輻射温度を座標とする点が、まず快適温度範囲に入るように空調ユニット２を最大能力で運転し、快適温度範囲が変わる毎に制御目標線Ｃ．Ｌの数式が変化するため、それに応じて制御方法を変更し、座標を制御目標線Ｃ．Ｌに近づけるようにしている。
【００４３】
また、本実施形態の制御システムが従来と異なる点は、輻射温度変化を代表する所定部品の温度を測定するために、輻射温度センサ２７を追加した点である。その他は従来と同様であり、外気温センサ２５、室温センサ２６の他に、図示しないが、日射量センサ、熱交換器７の吸込空気温度センサ及び吹出空気温度センサ、エンジン等の冷却水温センサやヒータコア８の温度センサ、圧縮機１９の吐出冷媒圧センサ等を備えている。
【００４４】
また、吹き出し風速による影響を制御内容に盛り込むためにはグリルでの吹き出し風温を把握できるようにする必要が有るため、空調ユニット７のモード設定に従って配風制御する部分もしくは吹き出しグリルでの温度測定用センサを追加する。なお、吹き出し口の温度が分かれば、他の方法でもよい。
【実施例１】
【００４５】
次に、第１実施例の制御手順を図５、図６に基づいて説明する。
【００４６】
エアコンスイッチがＯＮされて制御がスタートすると、各種センサや制御アンプ２４が初期化された後、ステップＳ１０で制御アンプ２４は室温センサ２６の検出値Ticを読み込むと共に、輻射温度センサ２７の検出値を読み込んで平均輻射温度Tmrtを算出する。
【００４７】
そして、ステップＳ２０でT1≦Tic≦T2及びTm1≦Tmrt≦Tm2であるかを判定する。ここで、T1は設定温度で約９０％の人が快適と感じる下限気温、T2は設定温度で約９０％の人が快適と感じる上限気温である。
【００４８】
また、Tm1は暖房で快適と考えられる最低輻射温度（通常、冬季の室内環境の服装で設定温度のときに快適感が得られる輻射温度）であり、Tm2は冷房で快適と考えられる最高輻射温度（通常、夏季の室内環境の服装で設定温度のときに快適感が得られる輻射温度）である。
【００４９】
ステップＳ２０でＹＥＳの場合にはステップＳ３０に進み、Tma≦Tmrt≦Tmbであるか（すなわち符号２の快適温度範囲内であるか）を判定する。ここで、Tmaはオートエアコンで設定温度を補正することなく乗員が快適と感じる最低温度（通常、冬季の室内環境の服装で設定温度のときに快適感が得られる輻射温度）である。また、Tmbは設定温度（空調された屋内環境の服装をした人が乗車した際に９０％以上の人が快適感が得られる温度）の中央値であり、一般的には２５℃前後である。
【００５０】
ステップＳ３０でＹＥＳの場合にはステップＳ４０に進み、室温センサ２６の検出値Ticが制御目標線Ｃ．Ｌ以下に位置するか否かを判定する。なお、この快適温度範囲におけるＣ．Ｌは（T2＋T1）/2の式で表される。
【００５１】
ＹＥＳの場合にはステップＳ５０に進み、最大暖房能力で運転する。また、ＮＯの場合にはステップＳ６０に進み、暖房能力を低減する。従ってTicとTmrtを座標とする点が制御目標線Ｃ．Ｌに近づくことになる。
【００５２】
ステップＳ２０でＮＯの場合にはステップＳ７０に進み、Tmrt＜Tm1又はTic＜T1であるかを判定する。ＹＥＳの場合にはステップＳ８０に進み、最大暖房能力で運転する。ＮＯの場合、すなわちTmrt＞Tm2又はTic＞T2の場合にはステップＳ９０に進み、最大冷房能力で運転する。
【００５３】
ステップＳ３０でＮＯの場合には、ステップＳ１００に進み、Tm1≦Tmrt＜Tmaであるか（すなわち符号１の快適温度範囲内であるか）を判定する。ＹＥＳの場合には、ステップＳ１１０に進み、室温センサ２６の検出値Ticが制御目標線Ｃ．Ｌ以下に位置するか否かを判定する。なお、この快適温度範囲内のＣ．Ｌは0.5*(2Tma*T2-Tm1*T1-Tma*T2)/(Tma-Tm1)の式で表される。
【００５４】
ステップＳ１１０でＹＥＳの場合にはステップＳ１２０に進み、最大暖房能力で運転する。ＮＯの場合にはステップＳ１３０に進み、暖房能力を低減する。
【００５５】
ステップＳ１００でＮＯの場合には、Tmb＜Tmrt≦Tm2（符号３の快適温度範囲内）であり、ステップＳ１４０に進んで室温センサ２６の検出値Ticが制御目標線Ｃ．Ｌ以上に位置するか否かを判定する。なお、この快適温度範囲内におけるＣ．Ｌの傾斜部分は、0.5*(-2Tmb*T1+Tm2*T1-Tm2*T1)/(Tm2-Tmb)の式で表される。
【００５６】
ステップＳ１４０でＹＥＳの場合にはステップＳ１５０に進み、最大冷房能力で運転する。ＮＯの場合にはステップＳ１６０に進み、冷房能力を低減する。
【００５７】
このように、室温及び輻射温度がそれぞれ制御目標線に近づくように制御を行うので、乗員の着衣量や体感に応じた快適な室内温度環境を提供することができる。
【００５８】
また、空調制御に外気温センサを用いないため、外気温センサを省くことができる。これにより、製造コストが低減すると共に、停車時等において外気センサの検出値に補正を行う必要がなくなるので、制御が簡素化する。
【００５９】
また、輻射温度センサによって車室内の輻射温度を測定しているので、ウォームアップやクールダウンのような空調過渡期において、車両の内装材からの輻射量を考慮した適切な温度制御ができるため、乗員の温感に対して素早く温度調節を行うことができ、過渡期において所望の空調性能に到達する時間を短縮することができる。また、輻射温度に合わせた室温となるように自動的に制御されるため、各種の補正制御が簡素化される。
【００６０】
また、射温度センサで輻射温度を測定することにより、乗員の乗降が頻繁な場合に、車両の温まり具合、冷え具合を把握することができるため、最適な空調制御量を求めることができる。
【００６１】
また、快適温度範囲を設定し、室温及び平均輻射温度を座標とする点が快適温度範囲外にあるときには、その点が快適温度範囲内に入るように最大能力で運転するため、不快な温度範囲からすばやく逃れることができる。
【００６２】
さらに、日射の影響は輻射温度に反映されるため、輻射温度を制御することで日射センサを省くことも可能となる。
【００６３】
図７は本実施例の車両用空調装置と従来の車両用空調装置の空調性能を比較した実験データである。
【００６４】
室温上昇に対して平均輻射温度は熱容量が大きいので温度変化が遅れる。従来の空調装置は室温制御のため、目標温度に近づくと温調が入り、空調性能を落とす。このため輻射温度が低くても温調が入るため、目標温度に到達するのに時間がかかっている。
【００６５】
これに対し、本実施例のものは、従来のものよりも目標温度に早く到達し、所定の空調性能に達するまでの時間が短くなっていることが判る。これは、室温が先行して変化し、輻射温度が遅れて変化する形態、つまり輻射温度の偏差により自動補正した室温制御となり、目標室温に対してオーバーするような制御になるため、空調性能を減少させる制御を遅らせる効果があるからである。
【００６６】
本実施例では、ステップＳ５０、Ｓ８０、Ｓ９０、Ｓ１２０、Ｓ１５０で最大暖房能力、最大冷房能力で運転するとしたが、室温や輻射温度と制御目標線との偏差に応じて暖房能力や冷房能力を変えても良い。
【実施例２】
【００６７】
次に、本発明の第２実施例を図８の制御マップに基づいて説明する。
【００６８】
本実施例では、車室内の気温と輻射温度を二軸とするｘｙ平面上に複数の空調風吹き出しモード（フット、ベント、バイレベル）の適用範囲を設定し、室温センサ２６の検出値Tic、及び輻射温度センサ２７の検出値に基づいて算出された平均輻射温度Tmrtを座標とする点が一つの適用範囲の境界線を越えたときに制御アンプ２４は空調風吹き出しモードの変更を行う。
【００６９】
例えば、空調開始の初期状態においてＡ点の条件で空調を行い、その後、空調によって気温及び輻射温度がＢ点に変化したとき、フットモードとバイレベルモードの間の境界線を越えるため、フットモードからバイレベルモードに自動的に変更されることになる。
【実施例３】
【００７０】
次に、本発明の第３実施例を図９の制御マップに基づいて説明する。
【００７１】
本実施例では、制御目標線Ｃ．Ｌに沿って形成された快適温度範囲１〜３を車両毎に固有の形状にしている。
【００７２】
すなわち、図４のように快適温度範囲をマトリックス状に形成した場合、特に符号１、３の範囲における制御目標線Ｃ．Ｌから最も離れた角隅部の部分において、車種によっては快適感が得られにくい場合がある。
【００７３】
そこで、本実施例では、二つの角隅部を制御目標線Ｃ．Ｌと平行にカットして快適温度範囲外とした。このようにすることで、車室内の気温Tic及び平均輻射温度Tmrtを座標とする点が、この角隅部から逃れて制御目標線Ｃ．Ｌに近づくように最大空調能力で運転されるため、快適感が向上する。
【実施例４】
【００７４】
次に、本発明の第４実施例を図１０の制御マップに基づいて説明する。
【００７５】
車両の熱伝達係数は車両毎に異なっており、車両毎に内装の各部分の温度が異なるため輻射温度は変化する。
【００７６】
本実施例では、この変化を考慮して制御目標線Ｃ．Ｌ、快適温度範囲を形成しており、図４に示すような一般的な形状とは異なる形状となっている。このようにすることで、その車両の特性に応じた適切な空調を行うことができ、快適感が向上する。
【００７７】
なお、本発明は、上記実施形態に限定されるものではなく、本発明の要旨を逸脱しない範囲で上記実施形態に種々の改変を施すことができる。
【図面の簡単な説明】
【００７８】
【図１】本発明の一実施形態である車両用空調装置の空調ユニットの概略構成図。
【図２】実施形態の冷凍サイクルの概略構成図。
【図３】実施形態の制御システムの概略構成図。
【図４】第１実施例の制御マップ。
【図５】第１実施例の制御手順を示すフローチャート。
【図６】第１実施例の制御手順を示すフローチャート。
【図７】実施例の車両用空調装置と従来の車両用空調装置の空調性能を比較した実験データ。
【図８】第２実施例の制御マップ。
【図９】第３実施例の制御マップ。
【図１０】第４実施例の制御マップ。
【符号の説明】
【００７９】
２    空調ユニット
２４    制御アンプ（制御装置）
２６    室温センサ
２７    輻射温度センサ
Ｃ．Ｌ  制御目標線
【図１】
2005199923.tif 000003
【図２】
2005199923.tif 000004
【図３】
2005199923.tif 000005
【図４】
2005199923.tif 000006
【図５】
2005199923.tif 000007
【図６】
2005199923.tif 000008
【図７】
2005199923.tif 000009
【図８】
2005199923.tif 000010
【図９】
2005199923.tif 000011
【図１０】
2005199923.tif 000012